(57)【要約】【課題】縦芯と横芯とによって編成された籠の意匠性がより向上可能な籠用プレート及びその籠用プレートを備えた籠を提供する。【解決手段】籠用プレートは、縦芯と横芯とによって編成された籠目に取り付けられる籠用プレートであって、プレート本体と、前記プレート本体の表面を覆う漆系塗装膜と、を備える。【選択図】図４Ｂ
2018008024.tif 000002
【特許請求の範囲】
【請求項１】
縦芯と横芯とによって編成された籠目に取り付けられる籠用プレートであって、
プレート本体と、
前記プレート本体の表面を覆う漆系塗装膜と、
を備えることを特徴とする籠用プレート。
【請求項２】
前記漆系塗装膜は、ウルシオール、カルダノール又はカルドールの何れか一つを主成分とする樹脂により形成されることを特徴とする請求項１に記載の籠用プレート。
【請求項３】
前記プレート本体は、前記プレート本体の外周面に形成されて前記縦芯が嵌合するように構成された溝部を有することを特徴とする請求項１又は２に記載の籠用プレート。
【請求項４】
前記プレート本体は、前記プレート本体を貫通する孔部を有することを特徴とする請求項１から３のいずれか１項に記載の籠用プレート。
【請求項５】
前記プレート本体は、木、金属、樹脂、皮革、又は陶磁器の少なくとも一つを含むことを特徴とする請求項１から４のいずれか１項に記載の籠用プレート。
【請求項６】
内部に空間部を有し前記空間部の上端が開口している本体部と、
前記本体部の前記開口を覆う蓋部と、を備える籠であって、
前記本体部は、
縦芯と横芯とによって編成された第１籠目と、
請求項１から５のいずれか１項に記載の籠用プレートであって、前記籠の底部を形成するように前記第１籠目に取り付けられる第１プレートと、
を含み、
前記蓋部は、
縦芯と横芯とによって編成された第２籠目と、
請求項１から５のいずれか１項に記載の籠用プレートであって、前記第１プレートに対向して設けられて前記籠の頂部を形成するように前記第２籠目に取り付けられる第２プレートと、
を含む
ことを特徴とする籠。
【発明の詳細な説明】
【技術分野】
【０００１】
本発明は、漆系塗装膜を有する籠用プレート及びその籠用プレートを備えた籠に関する。
【背景技術】
【０００２】
従来から、縦芯と横芯とで編成された籠が知られている。例えば、ナンタケットバスケットのような籠は、籠用プレート（ベース）を任意の型（モールド）に取付け、取付けられたプレートに縦芯を接続させて、その縦芯に対して横芯を編みこんでいくことで製作される。
【０００３】
この種のプレートは、籠の一部として構成されており、籠の外観に影響を与える。そのため、籠の意匠性は、プレートの意匠性の影響を受ける。例えば、特許文献１では、プレートをガラス製にすることが開示されている。
【先行技術文献】
【特許文献】
【０００４】
【特許文献１】実用新案登録第３１８８６１０号公報
【発明の概要】
【発明が解決しようとする課題】
【０００５】
しかしながら、特許文献１に記載されているプレートは、ガラス製にされているだけであり、プレートの意匠性が十分に向上されていない。また、そのようなプレートが籠に取付けられても、籠の意匠性はさほど向上されない。
【０００６】
本発明の少なくとも１実施形態は上述の問題点に鑑みなされたものであり、縦芯と横芯とによって編成された籠の意匠性がより向上可能な籠用プレート及びその籠用プレートを備えた籠を提供することを目的とする。
【課題を解決するための手段】
【０００７】
（１）本発明の少なくとも１実施形態に係る籠用プレートは、
縦芯と横芯とによって編成された籠目に取り付けられる籠用プレートであって、
プレート本体と、
前記プレート本体の表面を覆う漆系塗装膜と、
を備える。
【０００８】
上記（１）の構成によれば、籠用プレートのプレート本体の表面が漆系塗装膜で覆われている。漆系塗装膜は、人が視認したときに艶、ふっくら感、しっとり感、及び深み感を有する。このように籠用プレートは、プレート本体の表面が漆系塗装膜で覆われることで、籠用プレートの意匠性が向上される。また、このような籠用プレートが籠目に取付けられることで、籠の意匠性を向上させることができる。
【０００９】
（２）幾つかの実施形態では、上記（１）の構成において、
前記漆系塗装膜は、ウルシオール、カルダノール又はカルドールの何れか一つを主成分とする樹脂により形成される。
【００１０】
上記（２）の構成によれば、漆系塗装膜は、ウルシオール、カルダノール又はカルドールの何れか一つを主成分とする樹脂の膜である。これらの何れか一つを主成分とする膜は、人が視認したときに艶、ふっくら感、しっとり感、及び深み感を有する。このように籠用プレートは、プレート本体の表面が漆系塗装膜で覆われることで、籠用プレートの意匠性が向上される。また、このような籠用プレートが籠目に取付けられることで、籠の意匠性を向上させることができる。
【００１１】
（３）幾つかの実施形態では、上記（１）又は（２）のいずれかの構成において、
前記プレート本体は、前記プレート本体の外周面に形成されて前記縦芯が嵌合するように構成された溝部を有する。
【００１２】
上記（３）の構成によれば、縦芯が溝部に嵌合されることで、縦芯の長手方向および厚み方向における動きがプレート本体によって拘束される。そのため、籠用プレートは、籠の意匠性向上機能に加えて、縦芯と横芯とによって編成された籠目を有する籠の形状維持機能をも発現することとなる。
【００１３】
（４）幾つかの実施形態では、上記（１）〜（３）のいずれかの構成において、
前記プレート本体は、前記プレート本体を貫通する孔部を有する。
【００１４】
上記（４）の構成によれば、プレート本体は、孔部を介して、オーナメントが着脱可能に構成される。そのため、籠用プレートは、より意匠性を向上させることができる。
【００１５】
（５）幾つかの実施形態では、上記（１）〜（４）のいずれかの構成において、
前記プレート本体は、木、金属、樹脂、皮革、又は陶磁器の少なくとも一つを含む。
【００１６】
（６）本発明の少なくとも１実施形態に係る籠は、
内部に空間部を有し前記空間部の上端が開口している本体部と、
前記本体部の前記開口を覆う蓋部と、を備える籠であって、
前記本体部は、
縦芯と横芯とによって編成された第１籠目と、
請求項１から５のいずれか１項に記載の籠用プレートであって、前記籠の底部を形成するように前記第１籠目に取り付けられる第１プレートと、
を含み、
前記蓋部は、
縦芯と横芯とによって編成された第２籠目と、
請求項１から５のいずれか１項に記載の籠用プレートであって、前記第１プレートに対向して設けられて前記籠の頂部を形成するように前記第２籠目に取り付けられる第２プレートと、
を含む。
【００１７】
上記（６）の構成によれば、第１プレートは、籠の底部を形成する。そのため、籠に収納された物品（収納物）と籠目の接触を抑制し、籠目の損傷を抑制することができる。また、第２プレートは、籠の頂部をする。籠の頂部は、人に視認される機会が多い部分である。このような部分に第２プレートを取付けることで、籠の意匠性はより向上させることができる。
【発明の効果】
【００１８】
本発明の少なくとも一実施形態によれば、籠用プレートがより美観を有するように装飾されるため、籠用プレートの意匠性が向上される。また、このような籠用プレートが籠目に取付けられることで、籠の意匠性を向上可能である。
【図面の簡単な説明】
【００１９】
【図１】本発明の少なくとも１実施形態に係る籠用プレート及びその籠用プレートを備える籠を示す斜視図である。
【図２】図１に示す籠用プレート及び籠をその籠の底部方向から見た斜視図である。
【図３】図１に示すＡ−Ａ線断面図である。
【図４Ａ】本発明に係る第１プレートを示す斜視図である。
【図４Ｂ】図４ＡのＢ−Ｂ線断面図である。
【図５Ａ】本発明に係る第１リムを示す斜視図である。
【図５Ｂ】図５ＡのＣ−Ｃ線断面図である。
【図６Ａ】本発明に係る第２プレートを示す斜視図である。
【図６Ｂ】図６ＡのＤ−Ｄ線断面図である。
【図７Ａ】本発明に係る第２リムを示す斜視図である。
【図７Ｂ】図７ＡのＥ−Ｅ線断面図である。
【図８Ａ】本発明に係る籠用プレートの変形例を示す斜視図である。
【図８Ｂ】図８ＡのＦ−Ｆ線断面図である。
【発明を実施するための形態】
【００２０】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
【００２１】
図１は、本発明の少なくとも１実施形態に係る籠用プレート及びその籠用プレートを備える籠を示す斜視図である。図２は、図１に示す籠用プレート及び籠をその籠の底部方向から見た斜視図である。図３は、図１に示すＡ−Ａ線断面図である。
【００２２】
本発明の少なくとも１実施形態に係る籠１は、図１〜３に示すように、本体部２と蓋部３とを備える。本体部２は、その内部に空間部２０を有しており、空間部２０の上端が開口している。蓋部３は、本体部２の開口を覆うように構成される。
【００２３】
本体部２は、第１縦芯１０１と第１横芯１０２とによって編成された第１籠目２１と、籠１の底部を形成するように第１籠目２１に取り付けられる第１プレート２２と、第１籠目２１を介して第１プレート２２と接続される第１リム２３と、を備える。
なお、第１縦芯１０１とは、第１プレート２２から外周側に向かって放射状に延在する縦軸である。第１縦芯１０１は、詳細を後述する第１プレート２２の第１溝部６ａに嵌合する一端（下端）１０１ａと、詳細を後述する第１リム２３の第１環状溝２３ｃに嵌合する他端（上端）１０１ｂと、を有する。ここで、第１縦芯１０１の一端１０１ａは、第１縦芯１０１の他端１０１ｂよりも、籠１の中心軸Ｏを中心とする径方向内側に位置する。また、第１横芯１０２とは、第１縦芯１０１と交差し、第１プレート２２の外周を沿うように延在している横軸である。
【００２４】
蓋部３は、第２縦芯１０３と第２横芯１０４とによって編成された第２籠目４１と、本体部２の空間部２０を蓋部３で覆ったときに第１プレート２２と対向するように設けられ、籠１の頂部を形成するように第２籠目４１に取り付けられる第２プレート４２と、第２籠目４１を介して第２プレート４２と接続される第２リム４３と、を備える。
なお、第２縦芯１０３とは、第２プレート４２から外周側に向かって放射状に延在する縦軸である。第２縦芯１０３は、詳細を後述する第２プレート４２の第２溝部６ｂに嵌合する一端（下端）１０３ａと、詳細を後述する第２リム４３の第２環状溝４３ｃに嵌合する他端（上端）１０３ｂと、を有する。ここで、第２縦芯１０３の一端１０３ａは、第２縦芯１０３の他端１０３ｂよりも、籠１の中心軸Ｏを中心とする径方向内側に位置する。また、第２横芯１０４とは、第２縦芯１０３と交差し、第２プレート４２の外周を沿うように延在している横軸である。
【００２５】
まず、本体部２の構成について説明する。
【００２６】
図３に示すように、本体部２は、第１籠目２１と、第１プレート２２と、第１リム２３とを備える。
【００２７】
第１籠目２１は、第１プレート２２に接続される第１基部２４と、第１リム２３に接続される第１立ち上がり部２６と、を含む。第１基部２４は、第１プレート２２から外周側に向かって放射状に延在して第１プレート２２とともに籠１の底部を形成している。第１立ち上がり部２６は、第１湾曲部２５を介して第１基部２４に接続されており、第１湾曲部２５から第１リム２３に向かって上方に延在し、籠１の側壁部を形成している。
第１湾曲部２５は、第１基部２４から第１立ち上がり部２６に向かうにつれて、籠１の底部と平行な直線と第１籠目２１の接線とによって形成される第１傾斜角θ１が大きくなっていくように構成されている。
【００２８】
図４Ａは、本発明に係る第１プレートを示す斜視図である。図４Ｂは、図４ＡのＢ−Ｂ線断面図である。
【００２９】
図４Ａ及び図４Ｂに示すように、第１プレート２２は、第１プレート本体４ａと、第１プレート本体４ａの表面を覆う第１漆系塗装膜５ａと、を備える。
【００３０】
第１プレート本体４ａは、上方から見て円形形状を有する板状の部材である。第１プレート本体４ａは、第１プレート本体４ａの外周面に形成され第１縦芯１０１の一端１０１ａが嵌合するように構成された第１溝部６ａと、第１プレート本体４ａを貫通する第１孔部７ａと、を有する。
なお、本実施形態において、第１プレート本体４ａは円形形状を有しているが、これに限定されない。例えば、第１プレート本体４ａは、矩形形状を有してもよい。
【００３１】
上記構成の第１プレート本体４ａでは、第１縦芯１０１の一端（下端）１０１ａと嵌合する第１溝部６ａが設けられているので、第１縦芯１０１の長手方向および厚み方向における動きが第１プレート本体４ａによって拘束される。そのため、第１プレート２２は、後述する籠１の意匠性向上機能に加えて、第１縦芯１０１と第１横芯１０２とによって編成された第１籠目２１を有する本体部２の形状維持機能をも発現することとなる。
【００３２】
上記構成の第１プレート本体４ａでは、第１プレート本体４ａを貫通する第１孔部７ａを設けたので、第１孔部７ａを介して、第１オーナメント８ａを着脱することができる。本実施形態において、第１プレート２２は、第１孔部７ａを塞ぎ、第１プレート２２の両面が平面となるような第１オーナメント８ａが取付けられている。
【００３３】
また、第１プレート本体４ａは、木、金属、樹脂、皮革、又は陶磁器の少なくとも一つにより構成される。これにより、第１プレート本体４ａの素材の選択自由度が向上し、第１プレート２２のデザイン性を高めることができる。
【００３４】
第１漆系塗装膜５ａは、人が視認したときに艶、ふっくら感、しっとり感、及び深み感を有する膜である。このような膜は、例えば、ウルシオール、カルダノール又はカルドールの何れか一つを主成分とする樹脂の膜である。
【００３５】
このように第１プレート２２は、第１プレート本体４ａの表面が第１漆系塗装膜５ａで覆われることで、第１プレート２２の意匠性が向上される。また、このような第１プレート２２が第１籠目２１に取付けられることで、籠１の意匠性を向上させることができる。
【００３６】
図５Ａは、本発明に係る第１リムを示す斜視図である。図５Ｂは、図５ＡのＣ−Ｃ線断面図である。
【００３７】
図５Ａ及び図５Ｂに示すように、第１リム２３は、籠１の内側の空間部２０に面する第１内側リム２３ａと、籠１の外部空間と面する第１外側リム２３ｂと、を備える。第１内側リム２３ａと第１外側リム２３ｂとの間には、第１環状溝２３ｃが形成される。
【００３８】
第１内側リム２３ａは、籠１の内側の空間部２０に対して凸状の円弧断面形状を有する。一方、第１外側リム２３ｂは、籠１の外部空間に対して凸状の円弧断面形状を有する。そのため、本実施形態において、第１リム２３は、第１内側リム２３ａ及び第１外側リム２３ｂの円弧状の輪郭によって形成される略円形（又は略楕円）の断面形状を有する。
【００３９】
第１環状溝２３ｃは、第１縦芯１０１の他端１０１ｂが嵌合可能に構成される。また、第１外側リム２３ｂ、第１縦芯１０１の他端１０１ｂ及び第１内側リム２３ａを貫通する鋲５０が設けられる。このように、第１縦芯１０１の他端１０１ｂは、鋲５０によって、第１環状溝２３ｃ内に保持される。よって、第１籠目２１は第１リム２３から外れないように取付けられる。
【００４０】
第１リム２３は縁紐５１によって巻回されるとともに、第１環状溝２３ｃの上方が縁紐５１によって覆われる。このように、第１縦芯１０１の他端１０１ｂは、第１環状溝２３ｃ内により強固に保持される。よって、第１籠目２１は第１リム２３からより外れないように取付けられる。
【００４１】
次に、蓋部３の構成について説明する。
【００４２】
図３に示すように、蓋部３は、第２籠目４１と、第２プレート４２と、第２リム４３とを備える。
【００４３】
第２籠目４１は、第２プレート４２に接続される第２基部４４と、第２リム４３に接続される第２立ち上がり部４６と、を含む。第２基部４４は、第２プレート４２から外周側に向かって放射状に延在して第２プレート４２とともに籠１の頂部を形成している。第２立ち上がり部４６は、第２湾曲部４５を介して第２基部４４に接続されており、第２湾曲部４５から第２リム４３に向かって下方に延在し、蓋部３の側壁部を形成している。
第２湾曲部４５は、第２基部４４から第２立ち上がり部４６に向かうにつれて、籠１の頂部と平行な直線と第２籠目４１の接線とによって形成される第２傾斜角θ２が大きくなっていくように構成されている。
【００４４】
図６Ａは、本発明に係る第２プレートを示す斜視図である。図６Ｂは、図６ＡのＤ−Ｄ線断面図である。
【００４５】
図６Ａ及び図６Ｂに示すように、第２プレート４２は、第２プレート本体４ｂと、第２プレート本体４ｂの表面を覆う第２漆系塗装膜５ｂと、を備える。
【００４６】
第２プレート本体４ｂは、上方から見て円形形状を有する板状の部材である。第２プレート本体４ｂは、第２プレート本体４ｂの外周面に形成され第２縦芯１０３の一端１０３ａが嵌合するように構成された第２溝部６ｂと、第２プレート本体４ｂを貫通する第２孔部７ｂと、を有する。
なお、本実施形態において、第２プレート本体４ｂは第１プレート本体４ａの形状と略同一であるが、第１プレート本体４ａの形状と異なる形状を有してもよい。
【００４７】
上記構成の第２プレート本体４ｂでは、第２縦芯１０３の一端（下端）１０３ａと嵌合する第２溝部６ｂが設けられているので、第２縦芯１０３の長手方向および厚み方向における動きが第２プレート本体４ｂによって拘束される。そのため、第２プレート４２は、後述する籠１の意匠性向上機能に加えて、第２縦芯１０３と第２横芯１０４とによって編成された第２籠目４１を有する蓋部３の形状維持機能をも発現することとなる。
【００４８】
上記構成の第２プレート本体４ｂでは、第２プレート本体４ｂを貫通する第２孔部７ｂを設けたので、第２孔部７ｂを介して、第２オーナメント８ｂを着脱することができる。本実施形態において、第２プレート４２は、上方から見て矩形形状を有する第２オーナメント８ｂが取付けられている。
なお、第２オーナメント８ｂは、籠１の頂部に設けられるため、人に視認される機会が多い。そのため、第２オーナメント８ｂは、使用者の嗜好に応じた形状を有する。
【００４９】
また、第２プレート本体４ｂは、木、金属、樹脂、皮革、又は陶磁器の少なくとも一つにより構成される。これにより、第２プレート本体４ｂの素材の選択自由度が向上し、第２プレート４２のデザイン性を高めることができる。
なお、第２プレート本体４ｂは、第１プレート本体４ａと同じ素材を選択してもよいし、第１プレート本体４ａの素材と異なる素材を選択してもよい。
【００５０】
第２漆系塗装膜５ｂは、人が視認したときに艶、ふっくら感、しっとり感、及び深み感を有する膜である。このような膜は、例えば、ウルシオール、カルダノール又はカルドールの何れか一つを主成分とする樹脂の膜である。
【００５１】
このように第２プレート４２は、第２プレート本体４ｂの表面が第２漆系塗装膜５ｂで覆われることで、第２プレート４２の意匠性が向上される。また、このような第２プレート４２が第２籠目４１に取付けられることで、籠１の意匠性を向上させることができる。さらに、上述したように、第２プレート４２は、籠１の頂部を形成している。籠１の頂部は、人に視認される機会が多い部分である。このような部分に第２漆系塗装膜５ｂを有する第２プレート４２が取付けられることで、籠１の意匠性はより向上される。
【００５２】
図７Ａは、本発明に係る第２リムを示す斜視図である。図７Ｂは、図７ＡのＥ−Ｅ線断面図である。
【００５３】
図７Ａ及び図７Ｂに示すように、第２リム４３は、籠１の内部空間に面する第２内側リム４３ａと、籠１の外部空間と面する第２外側リム４３ｂと、を備える。第２内側リム４３ａと第２外側リム４３ｂとの間には、第２環状溝４３ｃが形成される。
【００５４】
第２内側リム４３ａは、籠１の内部空間に対して凸状の円弧断面形状を有する。一方、第２外側リム４３ｂは、籠１の外部空間に対して凸状の円弧断面形状を有する。そのため、本実施形態において、第２リム４３は、第２内側リム４３ａ及び第２外側リム４３ｂの円弧状の輪郭によって形成される略円形（又は略楕円）の断面形状を有する。
【００５５】
第２環状溝４３ｃは、第２縦芯の他端１０３ｂが嵌合可能に構成される。また、第２外側リム４３ｂ、第２縦芯１０３の他端１０３ｂ及び第２内側リム４３ａを貫通する鋲５０が設けられる。このように、第２縦芯１０３の他端１０３ｂは、鋲５０によって、第２環状溝４３ｃ内に保持される。よって、第２籠目４１は第２リム４３から外れないように取付けられる。
【００５６】
第２リム４３は縁紐５１によって巻回されるとともに、第２環状溝４３ｃの上方が縁紐５１によって覆われる。このように、第２縦芯の他端１０３ｂは、第２環状溝４３ｃ内により強固に保持される。よって、第２籠目４１は第２リム４３からより外れないように取付けられる。
【００５７】
ところで、本発明の少なくとも１実施形態に係る蓋部３は開閉可能に構成されており、籠１の使用状況によって、本体部２の空間部２０の開口を蓋部３によって閉じたり、蓋部３を動かすことで本体部２の空間部２０の開口を開放したりすることができるようになっている。
【００５８】
一実施形態では、蓋部３は、一方側で回動部１０５（図２参照）を介して結合され、他方側で係止部１１０（図１参照）によって本体部２と係脱自在に係止されるようになっている。
回動部１０５は、図２に示すように、蓋部３に設けられる蓋リング１０６と、蓋リング１０６と交差するようにして本体部２に取付けられる本体リング１０７と、を備える。蓋リング１０６は、第２環状溝４３ｃを通して、第２リム４３に取付けられている。本体リング１０７は、第１環状溝２３ｃを通して、第１リム２３に取付けられている。このような構成の回動部１０５によれば、回動部１０５を中心とした蓋部３の本体部２に対する回動を許容しながら、蓋部３を本体部２に取り付けることができる。
なお、本実施形態においては、２つの回動部１０５が設けられているが、回動部１０５の数は任意である。
【００５９】
このように、蓋部３と本体部２とは回動部１０５を介して接続されており、蓋部３は回動部１０５を回動中心として本体部２に対して回動可能である。よって、籠１の使用状況によって、本体部２の空間部２０の開口を蓋部３によって閉じたり、蓋部３を動かすことで本体部２の空間部２０の開口を開放したりすることができる。
【００６０】
係止部１１０は、図１に示すように、蓋部３に設けられる係止用蓋リング１１１と、該係止用蓋リング１１１に挿入可能であり本体部２に設けられる係止用本体リング１１２と、係止用本体リング１１２に挿入可能なペグ１１３と、を備える。係止用蓋リング１１１は、第２環状溝４３ｃを通して、第２リム４３に取付けられている。係止用本体リング１１２は、第１環状溝２３ｃを通して、第１リム２３に取付けられている。
【００６１】
このように、係止用蓋リング１１１を係止用本体リング１１２に挿入した状態で係止用本体リング１１２にペグ１１３を通すことで、係止用蓋リング１１１が係止用本体リング１１２から外れないように係止用蓋リング１１１の動きを規制することができる。よって、蓋部３は、本体部２の空間部２０を閉じる状態を維持できる。
なお、ペグ１１３は、円錐形状を有しており、紐１１４を介して、本体部２と接続されている。
【００６２】
ところで、本発明の少なくとも１実施形態に係る本体部２は、使用者に対して持ちやすいように取手部１１５が取付けられる。
【００６３】
取手部１１５は、図３に示すように、２つの留め具１１６と、ハンドル１１７と、２つのハンドルピン１１８と、２つのスペーサ１１９と、を備える。
【００６４】
ハンドル１１７は、留め具１１６及びハンドルピン１１８によって本体部２側に連結される一対の被連結部１１７ａと、一対の被連結部１１７ａ間を接続するとともに籠１の使用者によって把持される把持部１１７ｂと、を備える。
【００６５】
２つの留め具１１６の各々は、ハンドル１１７の被連結部１１７ａの外側（被連結部１１７ａを挟んで第１リム２３の反対側）に設けられ、被連結部１１７ａの外側への動きを規制するようになっている。
なお、本実施形態において、２つの留め具１１６は、それぞれ、中心軸Ｏに対して対称となるように位置（中心軸Ｏを挟んで互いに対向する位置）に配置されている。
【００６６】
各々のハンドルピン１１８は、留め具１１６、被連結部１１７ａ、スペーサ１１９及び第１外側リム２３ｂに形成されたピン孔３００に挿入される。こうして、ハンドル１１７は、ハンドルピン１１８によって枢止されており、本体部２に対して回動自在に固定される。
【００６７】
籠用プレート（第１プレート２２、第２プレート４２）のプレート本体（第１プレート本体４ａ、第２プレート本体４ｂ）が一体的に構成されている籠用プレート（第１プレート２２、第２プレート４２）を用いて説明してきたが、籠用プレート（第１プレート２２、第２プレート４２）は複数のパーツに分割可能に構成されてもよい。
【００６８】
図８Ａは、本発明に係る籠用プレートの変形例を示す斜視図である。図８Ｂは、図８ＡのＦ−Ｆ線断面図である。
【００６９】
籠用プレート２００は、例えば、図８Ａ及び図８Ｂに示すように、ベース部２０１と装飾プレート部２０２とに分割可能に構成されている。籠用プレート２００は、ベース部２０１の一部及び装飾プレート部２０２によって形成される第１基盤部２２０と、第１基盤部２２０と対向するようにベース部２０１の残部によって形成される第２基盤部２３０と、を備える。第１基盤部２２０と第２基盤部２３０との間には、縦芯２１１が嵌合する環状の溝部２０９が形成されている。
【００７０】
具体的には、ベース部２０１は、軸部２０６と、軸部２０６の両端側に位置する大径フランジ部２０５及び小径フランジ部２０７と、を含む。大径フランジ部２０５は、小径フランジ部２０７よりも大きな直径を有する。軸部２０６の直径Ｄ１と、大径フランジ部２０５の直径Ｄ２と、小径フランジ部２０７の直径Ｄ３とは、Ｄ１＜Ｄ３＜Ｄ２の関係を有する。
一方、装飾プレート部２０２は、既に詳述した漆系塗装膜５（５ａ，５ｂ）が表面に形成されており、装飾プレート部２０２の裏面（ベース部２０１側の面）には、ベース部２０１の小径フランジ部２０７が嵌合する凹部２０３が形成されている。装飾プレート部２０２の凹部２０３にベース部２０１の小径フランジ部２０７が嵌合した状態で、装飾プレート部２０２及びベース部２０１が互いに締結されることで、籠用プレート２００が形成される。なお、装飾プレート部２０２のベース部２０１への締結は、例えば、ベース部２０１の小径フランジ部２０７の頂面の中央に形成した螺子穴２０８に対して、装飾プレート部２０２の凹部２０３の中央に設けた螺子２０４を螺合させることによって行ってもよい。
【００７１】
上記構成の籠用プレート２００では、軸部２０６の直径Ｄ１と、大径フランジ部２０５の直径Ｄ２と、小径フランジ部２０７の直径Ｄ３とがＤ１＜Ｄ３＜Ｄ２の関係を有するので、ベース部２０１のみによって環状の溝部２０９の一部が形成される。このため、ベース部２０１から装飾プレート部２０２を取り外した状態においても、ベース部２０１によって形成される溝部２０９によって縦芯２１１を保持可能である。よって、籠１の形態を維持したまま、ベース部２０１から装飾プレート部２０２を取り外して、他の装飾プレート部２０２への交換作業を容易に行うことができる。したがって、互いに意匠が異なる複数の装飾プレート部２０２の候補から使用者が選択した装飾プレート部２０２に交換することで、籠用プレート２００の意匠を容易に変更することができる。
【００７２】
以上説明したように、本発明の少なくとも幾つかの実施形態に係る籠用プレート（２２、４２、２００）によれば、プレート本体４（４ａ、４ｂ）の表面を漆系塗装膜５（５ａ、５ｂ）で覆うようにしたので、籠用プレート（２２、４２、２００）の意匠性を向上させることができる。また、このような籠用プレート（２２、４２、２００）によれば、籠１に取りつけた際、籠１の意匠性を向上可能である。
【符号の説明】
【００７３】
１  籠
２  本体部
３  蓋部
４  プレート本体
４ａ  第１プレート本体
４ｂ  第２プレート本体
５  漆系塗装膜
５ａ  第１漆系塗装膜
５ｂ  第２漆系塗装膜
６ａ  第１溝部
６ｂ  第２溝部
７ａ  第１孔部
７ｂ  第２孔部
８ａ  第１オーナメント
８ｂ  第２オーナメント
２０  空間部
２１  第１籠目
２２  第１プレート
２３  第１リム
２３ａ  第１内側リム
２３ｂ  第１外側リム
２３ｃ  第１環状溝
２４  第１基部
２５  第１湾曲部
２６  第１立ち上がり部
４１  第２籠目
４２  第２プレート
４３  第２リム
４３ａ  第２内側リム
４３ｂ  第２外側リム
４３ｃ  第２環状溝
４４  第２基部
４５  第２湾曲部
４６  第２立ち上がり部
５０  鋲
５１  縁紐
１０１  第１縦芯
１０２  第１横芯
１０３  第２縦芯
１０４  第２横芯
１０５  回動部
１０６  蓋リング
１０７  本体リング
１１０  係止部
１１１  係止用蓋リング
１１２  係止用本体リング
１１３  ペグ
１１４  紐
１１５  取手部
１１６  留め具
１１７  ハンドル
１１７ａ  被連結部
１１７ｂ  把持部
１１８  ハンドルピン
１１９  スペーサ
２００  籠用プレート
２０１  ベース部
２０２  装飾プレート部
２０３  凹部
２０４  螺子
２０５  大径フランジ部
２０６  軸部
２０７  小径フランジ部
２０８  螺子穴
２０９  溝部
２１１  縦芯
２２０  第１基盤部
２３０  第２基盤部
３００  ピン孔
【図１】
2018008024.tif 000003
【図２】
2018008024.tif 000004
【図３】
2018008024.tif 000005
【図４Ａ】
2018008024.tif 000006
【図４Ｂ】
2018008024.tif 000007
【図５Ａ】
2018008024.tif 000008
【図５Ｂ】
2018008024.tif 000009
【図６Ａ】
2018008024.tif 000010
【図６Ｂ】
2018008024.tif 000011
【図７Ａ】
2018008024.tif 000012
【図７Ｂ】
2018008024.tif 000013
【図８Ａ】
2018008024.tif 000014
【図８Ｂ】
2018008024.tif 000015
【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
縦芯と横芯とによって編成された籠目に取り付けられる籠用プレートであって、
プレート本体と、
前記プレート本体の表面を覆う漆系塗装膜と、
を備え、
前記プレート本体は、
軸部と、該軸部の両端側に位置する一対のフランジ部とを含むベース部と、
前記ベース部の一方の前記フランジ部に対して着脱可能に設けられ、表面に前記漆系塗装膜が形成された装飾プレート部と、
を含む
ことを特徴とする籠用プレート。
【請求項２】
前記漆系塗装膜は、ウルシオール、カルダノール又はカルドールの何れか一つを主成分とする樹脂により形成されることを特徴とする請求項１に記載の籠用プレート。
【請求項３】
前記プレート本体は、前記プレート本体の外周面に形成されて前記縦芯が嵌合するように構成された溝部を有することを特徴とする請求項１又は２に記載の籠用プレート。
【請求項４】
前記軸部、他方の前記フランジ部、および、前記一方の前記フランジ部の直径をそれぞれＤ１、Ｄ２、Ｄ３としたとき、Ｄ１＜Ｄ３＜Ｄ２を満たす
ことを特徴とする請求項１乃至３の何れか一項に記載の籠用プレート。
【請求項５】
前記装飾プレートは、前記ベース部の前記一方の前記フランジ部が嵌合する凹部を有する
ことを特徴とする請求項１乃至３の何れか一項に記載の籠用プレート。
【請求項６】
前記装飾プレートは、前記ベース部に設けられた螺子穴に螺合する螺子部を前記凹部の中央に有する
ことを特徴とする請求項５に記載の籠用プレート。
【請求項７】
前記プレート本体は、前記プレート本体を貫通する孔部を有することを特徴とする請求項１から６のいずれか１項に記載の籠用プレート。
【請求項８】
前記プレート本体は、木、金属、樹脂、皮革、又は陶磁器の少なくとも一つを含むことを特徴とする請求項１から７のいずれか１項に記載の籠用プレート。
【請求項９】
内部に空間部を有し前記空間部の上端が開口している本体部と、
前記本体部の前記開口を覆う蓋部と、を備える籠であって、
前記本体部は、
縦芯と横芯とによって編成された第１籠目と、
請求項１から８のいずれか１項に記載の籠用プレートであって、前記籠の底部を形成するように前記第１籠目に取り付けられる第１プレートと、
を含み、
前記蓋部は、
縦芯と横芯とによって編成された第２籠目と、
請求項１から８のいずれか１項に記載の籠用プレートであって、前記第１プレートに対向して設けられて前記籠の頂部を形成するように前記第２籠目に取り付けられる第２プレートと、
を含む
ことを特徴とする籠。